(57)【要約】平端パイプのためのパイプフィッティングは、パイプ要素を受け取るためのレセプタクルを画定する筐体部分から形成される。レセプタクルは、相互に対して角度を付けて配向されたそれぞれの軸と同軸である。各レセプタクルは、異なる曲率半径における床部を伴うそれぞれの軸に面するチャネルを有する。リテーナが、チャネル内に受け取られる。リテーナは、チャネルと協働し、フィッティングの不適切な組立を防止する歯と、１つまたは複数のオフセットタブとを有する。リングシールが、レセプタクルに隣接して位置付けられたチャネル内に受け取られる。リングシールは、リテーナと協働し、フィッティングが事前に組み立てられたとき、パイプ要素をレセプタクルの中に挿入するために十分な離間関係にセグメントを保持する。開口が、レセプタクル内に提供され、組立後、リテーナの存在の視覚的決定を可能にする。
2019509444.tif 000002
【特許請求の範囲】
【請求項１】
複数のパイプ要素を接続するためのフィッティングであって、
相互に取り付けられ、前記パイプ要素を受け取るための複数のレセプタクルを画定する、第１および第２の筐体部分であって、前記複数のレセプタクルの少なくとも第１および第２のレセプタクルはそれぞれ、第１および第２の軸を囲繞し、前記第１の軸は、前記第１のレセプタクルと同軸方向に配向され、前記第２の軸は、前記第２のレセプタクルと同軸方向に配向され、前記第１の軸は、前記第２の軸に対して角度を付けて配向され、前記筐体部分のそれぞれは、
少なくとも第１および第２のチャネルであって、前記第１のチャネルは、前記第１のレセプタクル内に位置付けられ、前記第２のチャネルは、前記第２のレセプタクル内に位置付けられ、前記第１のチャネルは、前記第１の軸に面し、前記第２のチャネルは、前記第２の軸に面し、前記チャネルはそれぞれ、第１の床部および第２の床部を有し、前記第１の床部は、前記第２の床部よりも大きい曲率半径を有する、少なくとも第１および第２のチャネルと、
少なくとも第１および第２のリテーナであって、前記第１のリテーナは、前記第１のチャネル内に位置付けられ、前記第２のリテーナは、前記第２のチャネル内に位置付けられ、前記リテーナのそれぞれは、向かい合って配置された端部を有するバンドを備え、複数の歯が、前記バンドの１つの縁に沿って位置付けられ、前記第１のリテーナの歯は、前記第１の軸に向かって突出し、前記第２のリテーナの歯は、前記第２の軸に向かって突出し、少なくとも１つのタブが、前記バンドの反対縁に沿って位置付けられ、前記リテーナが前記チャネル内に位置付けられると、前記バンドは、前記第１の床部を覆い、前記タブは、前記第２の床部を覆う、リテーナと
を備える第１および第２の筐体部分を備えるフィッティング。
【請求項２】
前記レセプタクルのうちの２つ以下を備える、請求項１に記載のフィッティング。
【請求項３】
複数の前記タブをさらに備える、請求項１に記載のフィッティング。
【請求項４】
前記第１のレセプタクルに隣接して位置付けられた第３のチャネルであって、前記第１の軸に面する第３のチャネルと、
前記第２のレセプタクルに隣接して位置付けられた第４のチャネルであって、前記第２の軸に面する第４のチャネルと、
第１および第２のリングシールであって、前記第１のリングシールは、前記第３のチャネル内に位置付けられ、前記第２のリングシールは、前記第４のチャネル内に位置付けられ、前記リングシールは、前記パイプ要素を受け取るようにサイズ決定された内側表面と、前記筐体部分が相互に取り付けられる間、前記レセプタクルの中への前記パイプ要素の挿入を可能にするために十分な離間関係に前記筐体部分を支持するようにサイズ決定された外側表面とを有する、第１および第２のリングシールと
をさらに備える、請求項１に記載のフィッティング。
【請求項５】
前記リテーナのバンドは、前記リングシールと協働し、前記筐体部分を前記離間関係に支持するようにサイズ決定される、請求項４に記載のフィッティング。
【請求項６】
前記第１および第２のリングシール間に延在する管をさらに備える、請求項４に記載のフィッティング。
【請求項７】
前記管は、前記リングシールと一体的に形成される、請求項６に記載のフィッティング。
【請求項８】
前記第１のリテーナの歯は、前記第１の軸から延在する半径に対して角度を付けて配向される、請求項１に記載のフィッティング。
【請求項９】
前記第２のリテーナの歯は、前記第２の軸から延在する半径に対して角度を付けて配向される、請求項１に記載のフィッティング。
【請求項１０】
前記第１のリテーナの少なくとも１つのタブは、前記第１の軸から延在する半径に対して垂直に配向される、請求項１に記載のフィッティング。
【請求項１１】
前記第２のリテーナの少なくとも１つのタブは、前記第２の軸から延在する半径に対して垂直に配向される、請求項１に記載のフィッティング。
【請求項１２】
前記第１のリテーナの少なくとも１つのタブは、前記第３のチャネルに向かって突出し、前記第２のリテーナの少なくとも１つのタブは、前記第４のチャネルに向かって突出する、請求項４に記載のフィッティング。
【請求項１３】
前記第１のレセプタクルに隣接して位置付けられた第１の取付部材と、
前記第２のレセプタクルに隣接して位置付けられた第２の取付部材と、
前記第１および第２のレセプタクルの両方に隣接して位置付けられた第３の取付部材と
をさらに備え、前記取付部材は、前記第１および第２の筐体部分を相互に向かって引き寄せるために調節可能に緊締可能である、請求項１に記載のフィッティング。
【請求項１４】
前記取付部材は、
第１および第２のラグであって、前記第１のラグは、前記第１の筐体部分上に位置付けられ、前記第２のラグは、前記第２の筐体部分上に位置付けられ、前記第１および第２のラグは、対面関係にある、第１および第２のラグと、
前記第１および第２のラグ間に延在する締結具であって、前記締結具の緊締は、前記筐体部分を相互に向かって引き寄せる、締結具と
を備える、請求項１３に記載のフィッティング。
【請求項１５】
前記第１のレセプタクル内の第１の開口をさらに備え、前記第１の開口は、前記第１の軸を横断する視準線を提供する、請求項１に記載のフィッティング。
【請求項１６】
前記第１の開口は、前記第１および第２の筐体部分間に位置付けられる、請求項１５に記載のフィッティング。
【請求項１７】
前記第１の開口は、前記第１のチャネルと整合される、請求項１５に記載のフィッティング。
【請求項１８】
前記第２のレセプタクル内の第２の開口をさらに備え、前記第２の開口は、前記第２の軸を横断する視準線を提供する、請求項１６に記載のフィッティング。
【請求項１９】
前記第２の開口は、前記第１および第２の筐体部分間に位置付けられる、請求項１８に記載のフィッティング。
【請求項２０】
前記第２の開口は、前記第２のチャネルと整合される、請求項１８に記載のフィッティング。
【請求項２１】
パイプ要素を接続するためのフィッティングであって、
相互に取り付けられ、前記パイプ要素を受け取るための少なくとも第１および第２のレセプタクルを画定する第１および第２の筐体部分であって、前記第１のレセプタクルは、第１の軸を囲繞し、第２のレセプタクルは、第２の軸を囲繞し、前記第１の軸は、前記第１のレセプタクルと同軸方向に配向され、前記第２の軸は、前記第２のレセプタクルと同軸方向に配向され、前記第１の軸は、前記第２の軸に対して角度を付けて配向され、前記筐体部分のそれぞれは、
第１および第２のチャネルであって、前記第１のチャネルは、前記第１のレセプタクル内に位置付けられ、前記第２のチャネルは、第２のレセプタクル内に位置付けられ、前記第１のチャネルは、前記第１の軸に面し、前記第２のチャネルは、前記第２の軸に面する、第１および第２のチャネルと、
第１および第２のリテーナであって、前記第１のリテーナは、前記第１のチャネル内に位置付けられ、前記第２のリテーナは、前記第２のチャネル内に位置付けられ、前記リテーナのそれぞれは、向かい合って配置された端部を有するバンドを備え、複数の歯が、前記バンドの１つの縁に沿って位置付けられ、前記第１のリテーナの歯は、前記第１の軸に向かって突出し、前記第２のリテーナの歯は、前記第２の軸に向かって突出する、第１および第２のリテーナと、
前記第１のレセプタクル内の第１の開口であって、前記第１の軸を横断する視準線を提供する第１の開口と
を備える第１および第２の筐体部分を備える、フィッティング。
【請求項２２】
前記第１の開口は、前記第１および第２の筐体部分間に位置付けられる、請求項２１に記載のフィッティング。
【請求項２３】
前記第１の開口は、前記第１のチャネルと整合される、請求項２１に記載のフィッティング。
【請求項２４】
前記第２のレセプタクル内の第２の開口をさらに備え、前記第２の開口は、前記第２の軸を横断する視準線を提供する、請求項２１に記載のフィッティング。
【請求項２５】
前記第２の開口は、前記第１および第２の筐体部分間に位置付けられる、請求項２４に記載のフィッティング。
【請求項２６】
前記第２の開口は、前記第２のチャネルと整合される、請求項２４に記載のフィッティング。
【請求項２７】
前記チャネルはそれぞれ、第１の床部および第２の床部を有し、前記第１の床部は、前記第２の床部よりも大きい曲率半径を有し、
少なくとも第１のタブが、前記第１のリテーナの歯と反対の前記第１のリテーナのバンドの縁に沿って位置付けられ、
少なくとも第２のタブが、前記第２のリテーナの歯と反対の前記第２のリテーナのバンドの縁に沿って位置付けられ、
前記第１のリテーナのバンドは、前記第１のチャネルの第１の床部を覆い、前記第１のタブは、前記第１のチャネルの第２の床部を覆い、前記第２のリテーナのバンドは、前記第２のチャネルの第１の床部を覆い、前記第２のタブは、前記第２のチャネルの第２の床部を覆う、
請求項２１に記載のフィッティング。
【請求項２８】
複数の前記第１のタブおよび複数の前記第２のタブをさらに備える、請求項２７に記載のフィッティング。
【請求項２９】
前記第１のレセプタクルに隣接して位置付けられた第３のチャネルであって、前記第１の軸に面する第３のチャネルと、
前記第２のレセプタクルに隣接して位置付けられた第４のチャネルであって、前記第２の軸に面する第４のチャネルと、
第１および第２のリングシールであって、前記第１のリングシールは、前記第３のチャネル内に位置付けられ、前記第２のリングシールは、前記第４のチャネル内に位置付けられ、前記リングシールは、前記パイプ要素を受け取るようにサイズ決定された内側表面と、前記筐体部分が相互に取り付けられる間、前記レセプタクルの中への前記パイプ要素の挿入を可能にするために十分な離間関係に前記筐体部分を支持するようにサイズ決定された外側表面とを有する、第１および第２のリングシールと
をさらに備える、請求項２７に記載のフィッティング。
【請求項３０】
前記リテーナのバンドは、前記リングシールと協働し、前記筐体部分を前記離間関係に支持するようにサイズ決定される、請求項２９に記載のフィッティング。
【請求項３１】
前記第１および第２のリングシール間に延在する管をさらに備える、請求項２９に記載のフィッティング。
【請求項３２】
前記管は、前記リングシールと一体的に形成される、請求項３１に記載のフィッティング。
【請求項３３】
前記第１のリテーナの歯は、前記第１の軸から延在する半径に対して角度を付けて配向される、請求項２１に記載のフィッティング。
【請求項３４】
前記第２のリテーナの歯は、前記第２の軸から延在する半径に対して角度を付けて配向される、請求項３３に記載のフィッティング。
【請求項３５】
前記第１のタブは、前記第１の軸から延在する半径に対して垂直に配向される、請求項２７に記載のフィッティング。
【請求項３６】
前記第２のタブは、前記第２の軸から延在する半径に対して垂直に配向される、請求項３５に記載のフィッティング。
【請求項３７】
前記第１のタブは、前記第３のチャネルに向かって突出し、前記第２のタブは、前記第４のチャネルに向かって突出する、請求項２９に記載のフィッティング。
【請求項３８】
前記第１のレセプタクルに隣接して位置付けられた第１の取付部材と、
前記第２のレセプタクルに隣接して位置付けられた第２の取付部材と、
前記第１および第２のレセプタクルの両方に隣接して位置付けられた第３の取付部材と
をさらに備え、前記取付部材は、前記第１および第２の筐体部分を相互に向かって引き寄せるために調節可能に緊締可能である、請求項２１に記載のフィッティング。
【請求項３９】
前記取付部材は、
第１および第２のラグであって、前記第１のラグは、前記第１の筐体部分上に位置付けられ、前記第２のラグは、前記第２の筐体部分上に位置付けられ、前記第１および第２のラグは、対面関係にある、第１および第２のラグと、
前記第１および第２のラグ間に延在する締結具であって、前記締結具の緊締は、前記筐体部分を相互に向かって引き寄せる、締結具と
を備える、請求項３８に記載のフィッティング。
【請求項４０】
前記第１のレセプタクル内の第１の開口をさらに備え、前記第１の開口は、前記第１の軸を横断する視準線を提供する、請求項２１に記載のフィッティング。
【請求項４１】
前記第１の開口は、前記第１および第２の筐体部分間に位置付けられる、請求項４０に記載のフィッティング。
【請求項４２】
前記第１の開口は、前記第１のチャネルと整合される、請求項４０に記載のフィッティング。
【請求項４３】
前記第２のレセプタクル内の第２の開口をさらに備え、前記第２の開口は、前記第２の軸を横断する視準線を提供する、請求項４１に記載のフィッティング。
【請求項４４】
前記第２の開口は、前記第１および第２の筐体部分間に位置付けられる、請求項４３に記載のフィッティング。
【請求項４５】
前記第２の開口は、前記第２のチャネルと整合される、請求項４３に記載のフィッティング。
【請求項４６】
パイプ要素を継合するためのフィッティング内に位置付け可能なリテーナであって、
向かい合って配置された端部を有する弧状バンドであって、前記バンドは、前記バンドと同軸である軸を囲繞する、弧状バンドと、
前記バンドの１つの縁に沿って位置付けられた複数の歯であって、前記軸に向かって突出する複数の歯と、
前記バンドの反対縁に沿って位置付けられた少なくとも１つのタブであって、前記少なくとも１つのタブは、前記歯から離れる方向に突出し、前記少なくとも１つのタブは、前記バンドから前記軸に向かってオフセットされる、少なくとも１つのタブと
を備える、リテーナ。
【請求項４７】
前記歯は、前記第１の軸から延在する半径に対して角度を付けて配向される、請求項４６に記載のリテーナ。
【請求項４８】
前記少なくとも１つのタブは、前記第１の軸から延在する半径に対して垂直に配向される、請求項４６に記載のリテーナ。
【請求項４９】
パイプ要素を継合する方法であって、
少なくとも第１のパイプ要素を第１のレセプタクルの中に挿入することであって、前記第１のレセプタクルは、前記第１のパイプ要素の挿入を可能にするために十分な離間関係において、端部と端部とを相互に取り付けられた第１および第２の筐体部分によって画定される、ことと、
前記筐体部分のうちの少なくとも１つ内の第１の開口を通して、前記第１のパイプ要素が前記第１のレセプタクル内に適切に着座されているか否かを観察することと
を含む、方法。
【請求項５０】
少なくとも第２のパイプ要素を第２のレセプタクルの中に挿入することであって、前記第２のレセプタクルは、前記第２のパイプ要素の挿入を可能にするために十分な離間関係において、端部と端部とを相互に取り付けられた第１および第２の筐体部分によって画定される、ことと、
前記筐体部分のうちの少なくとも１つ内の第２の開口を通して、前記第２のパイプ要素が前記中心空間内に適切に着座されているか否かを観察することと
をさらに含む、請求項４９に記載の方法。
【請求項５１】
前記パイプ要素が前記レセプタクル内に適切に着座されていない場合、前記レセプタクル内の前記パイプ要素の位置を調節することと、
前記パイプ要素が前記レセプタクル内に適切に着座されていることが観察されると、前記筐体部分を相互に向かって前記パイプ要素と係合するように引き寄せることと
をさらに含む、請求項５０に記載の方法。
【発明の詳細な説明】
【技術分野】
【０００１】
（関連出願への相互参照）
本願は、２０１６年５月１６日に出願された米国仮出願第６２／３３６，８９３号に基づき、その優先権を主張し、これにより、その出願は参照により援用される。
（技術分野）
本発明は、平端パイプ要素を継合するためのフィッティングに関する。
【背景技術】
【０００２】
（背景）
パイプ要素を端間でともに継合するための機械的フィッティングは、パイプ要素の端部部分を囲繞して、円周方向に位置付け可能な相互接続可能筐体部分を備える。用語「パイプ要素」は、本明細書では、任意のパイプ状アイテムまたはパイプ状形態を有する構成要素を説明するために使用される。パイプ要素は、パイプ素材、パイプフィッティング（エルボ、キャップ、およびＴ字等）、ならびに流体制御構成要素（弁、レジューサ、ストレーナー、リストリクタ、圧力調節器、および同等物等）を含む。
【０００３】
歯付きリテーナが、平端パイプ要素を接続するフィッティングのための突起を形成するために使用されてもよい。リテーナが、筐体部分内に適切に配向されると、歯とパイプ要素との間の係合は、機械的拘束を継合部に提供し、パイプ要素が高内圧および／または外力下でも結合されたままであることを確実にする。筐体はまた、環状チャネルを画定し、環状チャネルは、各パイプ要素の端部に係合して筐体部分およびパイプ要素と協働することにより、液密シールを提供する、リングガスケット、典型的には、エラストマリングを受け取る。筐体部分は、典型的には、対向関係に配列されたラグの形態の接続部材を有する。ラグは、筐体部分を相互に向かって引き寄せるために調節可能に緊締可能である、ナットおよびボルト等の締結具を受け取るように適合される。
【０００４】
いくつかのリテーナは、パイプ要素の中心から半径に対して角度を付けて配向される歯を使用する。適切な角度配向は、歯が「自己作動」することを可能にする、すなわち、歯とパイプ要素との間の機械的係合は、パイプ要素をフィッティングから引き出そうとするパイプ要素にかかる力の増加に伴って増加する。故に、抜去に抵抗する力は、印加された力に伴って増加し、そうでなければ、抜去を生じさせる。しかしながら、そのようなリテーナが、不適切に配向される場合、例えば、リテーナが、フィッティング内で逆転される場合、抜去に対する十分な機械的係合を提供せず、パイプ要素は、フィッティング内に固着して保持されない。リテーナを有するフィッティングに関して、継合部が圧迫される前に、リテーナが適切に配向されているかどうかを決定することは、困難であり得る。継合部の組立の間にリテーナが適切に配向されていなかったことのインジケーションが継合部の組立の間に存在するように、パイプフィッティングが設計され得る場合、有利となる。
【発明の概要】
【課題を解決するための手段】
【０００５】
（概要）
本発明は、複数のパイプ要素を接続するためのフィッティングに関する。一例示的実施形態では、フィッティングは、相互に取り付けられ、パイプ要素を受け取るための複数のレセプタクルの少なくとも第１および第２のレセプタクルを画定する少なくとも第１および第２の筐体部分を備える。例示的実施形態では、フィッティングは、２つのレセプタクル以下を備えてもよい。第１のレセプタクルは、第１の軸を囲繞し、第２のレセプタクルは、第２の軸を囲繞する。第１の軸は、第１のレセプタクルと同軸方向に配向され、第２の軸は、第２のレセプタクルと同軸方向に配向される。第１の軸は、第２の軸に対して角度を付けて配向される。一例として、筐体部分はそれぞれ、それぞれ第１および第２のレセプタクル内に位置付けられる少なくとも第１および第２のチャネルを備える。第１のチャネルは、第１の軸に面し、第２のチャネルは、第２の軸に面する。チャネルはそれぞれ、第１の床部および第２の床部を有する。第１の床部は、第２の床部よりも大きい曲率半径を有する。少なくとも第１および第２のリテーナは、それぞれ第１および第２のチャネル内に位置付けられる。例示的実施形態では、リテーナはそれぞれ、向かい合って配置された端部を有するバンドを備える。複数の歯が、バンドの１つの縁に沿って位置付けられる。第１のリテーナの歯は、第１の軸に向かって突出し、第２のリテーナの歯は、第２の軸に向かって突出する。さらなる実施例として、少なくとも１つのタブが、バンドの反対縁に沿って位置付けられる。リテーナがチャネル内に位置付けられると、バンドは、第１の床部を覆い、タブは、第２の床部を覆う。例示的実施形態は、複数のタブを有してもよい。
【０００６】
さらなる実施例として、フィッティングは、第１のレセプタクルに隣接して位置付けられる第３のチャネルを備える。第３のチャネルは、第１の軸に面する。第４のチャネルは、第２のレセプタクルに隣接して位置付けられる。第４のチャネルは、第２の軸に面する。第１のリングシールは、第３のチャネル内に位置付けられ、第２のリングシールは、第４のチャネル内に位置付けられる。リングシールは、パイプ要素を受け取るようにサイズ決定された内側表面と、筐体部分が相互に取り付けられる間、レセプタクルの中へのパイプ要素の挿入を可能にするために十分な離間関係に筐体部分を支持するようにサイズ決定された外側表面とを有する。
【０００７】
例示的実施形態では、リテーナのバンドは、リングシールと協働し、筐体部分を離間関係に支持するようにサイズ決定される。別の実施例では、管が、第１および第２のリングシール間に延在する。さらなる実施例として、管は、リングシールと一体的に形成される。
【０００８】
特定の例示的実施形態では、第１のリテーナの歯は、第１の軸から延在する半径に対して角度を付けて配向される。さらに一例として、第２のリテーナの歯は、第２の軸から延在する半径に対して角度を付けて配向される。別の例示的実施形態では、第１のリテーナのタブまたは複数のタブは、第１の軸から延在する半径に対して垂直に配向される。さらに一例として、第２のリテーナのタブまたは複数のタブは、第２の軸から延在する半径に対して垂直に配向される。例示的実施形態では、第１のリテーナのタブまたは複数のタブは、第３のチャネルに向かって突出し、第２のリテーナのタブまたは複数のタブは、第４のチャネルに向かって突出する。
【０００９】
特定の例示的実施形態では、フィッティングはさらに、第１のレセプタクルに隣接して位置付けられた第１の取付部材と、第２のレセプタクルに隣接して位置付けられた第２の取付部材と、第１および第２のレセプタクルの両方に隣接して位置付けられた第３の取付部材とを備える。本実施例では、取付部材は、第１および第２の筐体部分を相互に向かって引き寄せるために調節可能に緊締可能である。
【００１０】
一例として、取付部材は、それぞれ第１および第２の筐体部分上に位置付けられた第１および第２のラグを備える。第１および第２のラグは、対面関係にある。締結具は、第１および第２のラグ間に延在する。締結具の緊締は、筐体部分を相互に向かって引き寄せる。
【００１１】
具体的例示的実施形態はさらに、第１のレセプタクル内の第１の開口を備える。第１の開口は、第１の軸を横断する視準線を提供する。第１の開口は、例示的実施形態では、第１および第２の筐体部分間に位置付けられる。さらに一例として、第１の開口は、第１のチャネルと整合される。別の例示的実施形態は、第２のレセプタクル内の第２の開口を備える。第２の開口は、第２の軸を横断する視準線を提供する。具体的例示的実施形態では、第２の開口は、第１および第２の筐体部分間に位置付けられる。さらに一例として、第２の開口は、第２のチャネルと整合される。
【００１２】
本発明はまた、パイプ要素を接続するためのフィッティングの別の実施形態を包含する。一例として、フィッティングは、相互に取り付けられ、パイプ要素を受け取るための少なくとも第１および第２のレセプタクルを画定する第１および第２の筐体部分を備える。第１のレセプタクルは、第１の軸を囲繞し、第２のレセプタクルは、第２の軸を囲繞する。第１の軸は、第１のレセプタクルと同軸方向に配向され、第２の軸は、第２のレセプタクルと同軸方向に配向される。第１の軸は、第２の軸に対して角度を付けて配向される。筐体部分はそれぞれ、それぞれ第１および第２のレセプタクル内に位置付けられた第１および第２のチャネルを備える。第１のチャネルは、第１の軸に面し、第２のチャネルは、第２の軸に面する。第１のリテーナは、第１のチャネル内に位置付けられ、第２のリテーナは、第２のチャネル内に位置付けられる。リテーナはそれぞれ、向かい合って配置された端部を有するバンドを備える。複数の歯が、バンドの１つの縁に沿って位置付けられる。第１のリテーナの歯は、第１の軸に向かって突出し、第２のリテーナの歯は、第２の軸に向かって突出する。第１の開口は、第１のレセプタクル内に位置付けられる。第１の開口は、第１の軸を横断して視準線を提供する。
【００１３】
例示的実施形態では、第１の開口は、第１および第２の筐体部分間に位置付けられる。さらに一例として、第１の開口は、第１のチャネルと整合される。
【００１４】
別の例示的実施形態では、第２の開口は、第２のレセプタクル内に位置付けられる。第２の開口は、第２の軸を横断して視準線を提供する。特定の例示的実施形態では、第２の開口は、第１および第２の筐体部分間に位置付けられる。別の実施例では、第２の開口は、第２のチャネルと整合される。
【００１５】
例示的フィッティング実施形態はさらに、第１のレセプタクルに隣接して位置付けられた第３のチャネルを備える。第３のチャネルは、第１の軸に面する。第４のチャネルは、第２のレセプタクルに隣接して位置付けられる。第４のチャネルは、第２の軸に面する。第１のリングシールは、第３のチャネル内に位置付けられ、第２のリングシールは、第４のチャネル内に位置付けられる。リングシールは、パイプ要素を受け取るようにサイズ決定された内側表面と、筐体部分が相互に取り付けられる間、レセプタクルの中へのパイプ要素の挿入を可能にするために十分な離間関係に筐体部分を支持するようにサイズ決定された外側表面とを有する。
【００１６】
特定の例示的実施形態では、リテーナのバンドは、リングシールと協働し、筐体部分を離間関係に支持するようにサイズ決定される。
【００１７】
本発明はまた、パイプ要素を継合するためのフィッティング内に位置付け可能なリテーナを包含する。一例示的実施形態では、リテーナは、向かい合って配置された端部を有する弧状バンドを備える。バンドは、バンドと同軸である軸を囲繞する。複数の歯が、バンドの１つの縁に沿って位置付けられる。歯は、軸に向かって突出する。少なくとも１つのタブであるが、別の例示的実施形態では、複数のタブが、バンドの反対縁に沿って位置付けられる。タブまたは複数のタブは、歯から離れる方向に突出する。タブまたは複数のタブは、バンドから軸に向かってオフセットされる。
【００１８】
例示的実施形態では、歯は、第１の軸から延在する半径に対して角度を付けて配向される。さらなる実施例として、タブまたは複数のタブは、第１の軸から延在する半径に対して垂直に配向される。
【００１９】
本発明はさらに、パイプ要素を継合する方法を包含する。一例示的実施形態では、本方法は、
少なくとも第１のパイプ要素を第１のレセプタクルの中に挿入することであって、第１のレセプタクルは、第１のパイプ要素の挿入を可能にする十分な離間関係において、端部と端部とを相互に取り付けられる第１および第２の筐体部分によって画定される、ことと、
筐体部分のうちの少なくとも１つ内の第１の開口を通して、第１のパイプ要素が第１のレセプタクル内に適切に着座されているか否かを観察することと
を含む。
【００２０】
例示的方法はさらに、
少なくとも第２のパイプ要素を第２のレセプタクルの中に挿入することであって、第２のレセプタクルは、第２のパイプ要素の挿入を可能にする十分な離間関係において、端部と端部とを相互に取り付けられる第１および第２の筐体部分によって画定される、ことと、
筐体部分のうちの少なくとも１つ内の第２の開口を通して、第２のパイプ要素が中心空間内に適切に着座されているか否かを観察することと
を含んでもよい。
また、一例として、本方法はさらに、
パイプ要素がレセプタクル内に適切に着座されていない場合、レセプタクル内のパイプ要素の位置を調節することと、
パイプ要素がレセプタクル内に適切に着座されていることが観察されると、筐体部分を相互に向かってパイプ要素と係合するように引き寄せることと
を含んでもよい。
【図面の簡単な説明】
【００２１】
【図１】図１は、事前に組み立てられた状態に示される、本発明による、例示的フィッティングの等角図である。
【図２】図２は、図１に示されるフィッティングの分解等角図である。
【図２Ａ】図２Ａは、図１に示されるフィッティングにおいて使用される構成要素の分解等角図である。
【図３】図３は、図１に示されるフィッティングの一部の部分断面図である。
【図４】図４は、図１に示されるフィッティングにおいて使用される例示的リテーナの等角図である。
【図５】図５は、図１に示されるフィッティングの一部の部分断面図である。
【図６】図６は、図１に示されるフィッティングの使用を図示する、等角図である。
【図７】図７は、図１に示されるフィッティングの使用を図示する、断面図である。
【発明を実施するための形態】
【００２２】
（詳細な説明）
図１および図２は、本発明による、パイプ要素を接続するための例示的フィッティング１０を示す。例示的フィッティング１０は、相互に取り付けられ、パイプ要素（以下に説明される）を受け取る第１および第２のレセプタクル１６および１８を画定する、第１および第２の筐体部分１２および１４を備える。第１のレセプタクル１６は、第１の軸２０を囲繞し、第１の軸２０は、第１のレセプタクルと同軸方向に配向される。第２のレセプタクル１８は、第２の軸２２を囲繞し、第２の軸２２は、第２のレセプタクルと同軸方向に配向される。第１および第２の軸２０および２２は、相互に対して角度を付けて配向される。約９０°の配向角度２４が、図示されるが、他の配向角度も実行可能である。
【００２３】
図１および図２にさらに示されるように、第１のチャネル２６は、第１のレセプタクル１６内に位置付けられ、第２のチャネル２８は、第２のレセプタクル１８内に位置付けられる。第１のチャネル２６は、第１の軸２０に面し、第２のチャネル２８は、第２の軸２２に面する。図３に示されるように、各チャネル２６および２８（２８が示される）は、相互から離間関係に位置付けられる、側壁３０および３２によって画定される。各チャネルはさらに、側壁３０と３２との間に位置付けられる第１の床部３４および第２の床部３６を備える。第１の床部３４は、第２の床部３６の曲率半径４０よりも大きい曲率半径３８を有する。本例示的実施形態では、第１の床部３４は、最外側壁３０に隣接して位置付けられる。
【００２４】
図１−３にさらに示されるように、チャネル２６および２８はそれぞれ、それぞれのリテーナ４２を受け取る。リテーナ４２は、図４に詳細に示され、向かい合って配置された端部４６および４８を有する弧状バンド４４を備える。バンド４４は、したがって、半径方向に圧縮されると、より小さい曲率半径に変形する、「分割リング」を形成する。複数の歯５０が、バンド４４の１つの縁５２に沿って位置付けられる。歯５０は、どのレセプタクルがリテーナ４２を占有するかに応じて、バンド４４から軸２０または２２のうちの１つに向かって突出する。図３は、第２のレセプタクル１８内のリテーナ４２を示し、リテーナの歯５０は、第２のレセプタクルと同軸である第２の軸２２から延在する半径５４に対して角度を付けて配向される。歯の角度配向は、以下に説明されるように、パイプ要素を保定するために有利である。
【００２５】
図４にさらに示されるように、少なくとも１つであるが、本例示的実施形態では、複数のタブ５６が、縁５２と反対に配置されたバンド４４の縁５８に沿って位置付けられる。図３に示されるように、タブ５６は、半径５４と略垂直に配向され、歯５０が突出する方向において、バンド４４から軸２０または２２に向かってオフセットされる。タブ５６の本オフセットは、図２および図３に示されるように、リテーナ４２がそれぞれのチャネル２６および２８内に適切に受け取られると、タブが、第２の床部３６を覆い、バンド４４が、第１の床部３４を覆うことを可能にする。チャネル２６および２８内へのリテーナ４２の適切な組立は、以下に説明されるように、パイプ要素が事前に組み立てられたフィッティング１０の中に挿入されることを可能にする。しかしながら、図５に示されるように、チャネル２６および２８（２８が示される）ならびにリテーナ４２は、同様に以下に説明されるように、フィッティング１０が不適切に組み立てられ、バンド４４が第２の床部３６を覆い、タブ５６が第１の床部３４を覆う場合、歯５０がフィッティングの中へのパイプ要素の挿入に抵抗するようにサイズ決定される。
【００２６】
図１および図２はさらに、筐体部分１２および１４によって画定される、第３および第４のチャネル６０および６２を図示する。第３のチャネル６０は、第１のレセプタクル１６に隣接して位置付けられ、第１の軸２０に面する。第４のチャネル６２は、第２のレセプタクル１８に隣接して位置付けられ、第２の軸２２に面する。本実施例では、第１のチャネル２６内のリテーナ４２のタブ５６は、軸方向に（軸２０に沿って）第３のチャネル６０に向かって突出し、第２のチャネル２８内のリテーナ４２のタブ５６は、軸方向に（軸２２に沿って）第４のチャネル６２に向かって突出する（図３参照）。第１および第２のリングシール６４および６６は、それぞれ、第３および第４のチャネル６０および６２内に位置付けられる。リングシールは、フィッティング１０と接続されているパイプ要素との間の液密継合部を確実にする。リングシールは、有利には、ＥＰＤＭまたは他のゴム化合物等の弾力性の弾性材料から形成される。管６８は、リングシール６４と６６との間に延在する。管６８は、筐体部分１２と１４との間の液密経路を確実にする。管６８は、図２に示されるように、リングシール６４および６８と一体的に形成されてもよいし、または図２Ａに示されるように、リングシール６４および６８と別個であってもよい。リングシール６４および６６と一体的に形成されるとき、管６８は、リングシールと同一の弾力性の弾性材料である。管６８が、別個の構成要素（図２Ａ）であるとき、管をフッ化ポリビニリデン等の堅性ポリマーから形成することが有利である。より剛性の管は、以下に説明されるように、リングシールが筐体部分１２と１４との間で圧縮されると、別個のリングシールが液密シールを内側表面７０と管６８との間に形成されることを可能にする。
【００２７】
図２および図２Ａに示されるように、リングシール６４および６６はそれぞれ、以下に説明されるように、レセプタクル１６および１８の中への挿入に応じて、パイプ要素を受け取るようにサイズ決定された内側表面７０を有する。各リングシールはまた、内側表面７０に隣接して位置付けられたパイプ停止部７１を備えてもよい。それぞれのリングシール６４および６６上のパイプ停止部７１は、以下に説明されるように、それぞれの軸２０および２２に向かって突出し、適切に着座されたパイプ要素の端部に係合する。いくつかの実施形態では、各リングシール６４および６６はまた、図１に示される事前に組み立てられた状態からフィッティングを分解せずに、すなわち、筐体部分１２および１４が相互に取り付けられる間、パイプ要素がレセプタクル１６および１８の中に挿入されることを可能にするために十分な離間関係に筐体部分１２および１４を支持するようにサイズ決定された外側表面７２を有する。リテーナ４２のバンド４４はまた、リングシール６４および６６と協働し、筐体部分１２および１４を支持するようにサイズ決定されてもよい。リングシール６４および６６ならびにバンド４４は、発送、取扱、および設置の間、筐体部分を離間関係に支持するために十分な堅度を有することが有利である。
【００２８】
図１に図示されるように、筐体部分１２および１４は、複数の取付部材７４を使用して、相互に取り付けられる。フィッティング１０の例示的実施形態は、３つの取付部材、すなわち、第１のレセプタクル１６に隣接して位置付けられる第１の取付部材７４ａと、第２のレセプタクル１８に隣接して位置付けられる第２の取付部材７４ｂと、第１および第２のレセプタクル１６および１８の両方に隣接して位置付けられる第３の取付部材７４ｃとを備える。本例示的実施形態では、各取付部材は、それぞれ第１および第２の筐体部分１２および１４上に位置付けられる第１および第２のラグ７６、７８を備える。ラグ７６、７８は、対面関係にあり、図２に示されるように、ラグ間に延在する締結具８２を受け取る孔８０を有する。締結具は、本実施例では、ボルト８４と、ナット８６とを備え、ボルトおよびナットの緊締は、以下に説明されるように、筐体部分を相互に向かって引き寄せ、パイプ要素間の液密接続を確立する。
【００２９】
図１および図２に示されるように、筐体部分１２および１４はさらに、第１および第２の開口８８および９０をフィッティング１０内に画定する。開口８８および９０は、レセプタクル１６および１８内に位置し、それぞれ第１および第２の軸２０および２２を横断する視準線を提供する。開口８８および９０は、技術者が、リテーナが存在することを視覚的に確認し、パイプ要素が少なくともリテーナ４２を過ぎて設置されていることを決定することを可能にする。実施形態１０の例示的フィッティングでは、開口８８および９０は、筐体部分１２および１４が合う界面表面９２および９４において、第１の筐体部分１２と第２の筐体部分１４との間に形成される。複数の開口８８、９０を各レセプタクル内に有することが便利である。
【００３０】
本発明によるフィッティングは、２つのレセプタクルに限定されない。例えば、示されるエルボフィッティングに加え、フィッティングは、第３のレセプタクルを有し、「Ｔ字」または「Ｙ字」タイプフィッティングの形態をとってもよい。
【００３１】
例示的フィッティング１０の動作は、図６および図７に図示される。図６に示されるように、フィッティング１０は、事前に組み立てられた状態で提供され、筐体部分１２および１４は、取付部材７４、本実施例では、締結具８２およびラグ７６および７８を使用して、相互に取り付けられる。筐体部分１２および１４は、図６に示されるように、筐体部分１２および１４を離間関係に支持するようにサイズ決定された外側表面７２（図２参照）を有するリングシール６４および６６によって、事前に組み立てられた状態に支持される。バンド４４のうちの１つまたは複数のものは、リングシールと協働し、筐体部分１２および１４を支持することに役立ち得る。リングシール６４および６６および／またはバンド４４によって支持されると、筐体部分１２および１４の分離は、図６に図示されるように、カップリングが事前に組み立てられた状態にあるときに、そのそれぞれのレセプタクル１６および１８の中へのパイプ要素９６および９８の挿入を可能にするために十分である。リングシール６４および６６および／またはバンド４４は、発送および取扱の間ならびに設置の間、筐体部分１２および１４を離間関係に支持するために十分な堅度を有することが有利である。図３を参照すると、パイプ要素９８が、レセプタクル１８の中に挿入されるときに、バンド４４が第１の床部３４を覆いかつタブ５６が第２の床部３６を覆う状態で適切に配向されたリテーナ４２は、フィッティング１０が事前に組み立てられた状態にあるとき軸２２に向かって突出する歯５０をパイプ要素が乗り越えることを可能にする曲率半径を有する。しかしながら、図５に示されるように、リテーナ４２が、不適切に配向され、バンド４４が第２の床部３６を覆う場合、リテーナの曲率半径は、より小さく、歯５０は、セグメント１２および１４が事前に組み立てられた状態で離間関係にある状態でのレセプタクル１８の中へのパイプ要素９８の挿入に効果的に抵抗する。レセプタクル１８内の開口９０は、組立後の点検を可能にし、リテーナ４２が存在するかどうかと、パイプ要素が少なくともリテーナを過ぎて設置されているかどうかとを視覚的に決定することを可能にする。リテーナ４２と、そのタブ５６と、歯５０と、チャネル２６および２８の第１の床部３４および第２の床部３６との間の協働は、フィッティング１０を使用して、パイプ継合部の不適切な組立を防止する。パイプ要素９６および９８が、リテーナ歯５０が誤った方向に対面した状態で挿入され得る場合（図５）、継合部性能が損なわれることを防止するためにあまり効果的でない機械的係合が存在する。
【００３２】
いったんパイプ要素９６および９８の両方が、そのそれぞれのレセプタクル１６および１８の中に挿入され、パイプ停止部７１およびそれぞれのリングシール６４および６６のそれぞれの内側表面７０に係合すると、締結具８２は、緊締される。締結具８２を緊締することは、筐体部分１２および１４を相互に向かって引き寄せ、図７に示されるように、セグメントは、リングシール６４および６６ならびにリテーナ４２をパイプ要素に対して圧縮し、液密シールおよび機械的係合を歯５０とパイプ要素９６および９８の外側表面との間に形成する。歯５０の角度配向の利点は、歯を自己作動させ、パイプ要素をフィッティング１０との係合から引き出す傾向にある軸方向力に抵抗させるものとして、容易に明白となる。
【００３３】
例示的フィッティング１０の使用動作は、例示的パイプ要素を継合する方法を例示する。本実施例では、本方法は、
第１のパイプ要素の挿入を可能にする十分な離間関係において、端部と端部とを相互に取り付けられた第１および第２の筐体部分によって画定された第１のレセプタクルの中に少なくとも第１のパイプ要素を挿入することと、
筐体部分のうちの少なくとも１つ内の第１の開口を通して、第１のパイプ要素が第１のレセプタクル内に適切に着座されているかどうかを観察することと
を含む。
【００３４】
例示的方法はさらに、
第２のパイプ要素の挿入を可能にする十分な離間関係において、端部と端部とを相互に取り付けられた第１および第２の筐体部分によって画定された第２のレセプタクルの中に少なくとも第２のパイプ要素を挿入することと、
筐体部分のうちの少なくとも１つ内の第２の開口を通して、第２のパイプ要素が中心空間内に適切に着座されているかどうかを観察することと
を含んでもよい。
【００３５】
一例として、本方法はさらに、
パイプ要素がレセプタクル内に適切に着座されていない場合、レセプタクル内のパイプ要素の位置を調節することと、
パイプ要素がレセプタクル内に適切に着座されていることが観察されると、筐体部分を相互に向かってパイプ要素と係合するように引き寄せることと
を含んでもよい。
【００３６】
本発明によるフィッティングは、平端パイプ要素を使用してパイプ継合部を形成する効率および信頼性を向上させることが予期される。
【図１】
2019509444.tif 000003
【図２】
2019509444.tif 000004
【図２Ａ】
2019509444.tif 000005
【図３】
2019509444.tif 000006
【図４】
2019509444.tif 000007
【図５】
2019509444.tif 000008
【図６】
2019509444.tif 000009
【図７】
2019509444.tif 000010
【国際調査報告】
2019509444.tif 000011